(57)【要約】【課題】流体の送入口及び送出口の配置位置（配置方向）を自由に設定することができて適用の範囲が拡大し、コストの低減を図ることも可能になるウォーターポンプを得る。【解決手段】ウォーターポンプ１０では、ボディ２４とケーシング３２との接合固定部５０は、フランジ部５２の周方向に沿って形成された凹部５４と、フランジ部５６の周方向に沿って形成された凸部５８とが嵌り込んで接合される構成であり、互いの接合位置が周方向に沿って連続的に変更可能となっている。このため、接合固定部５０を周方向に沿って周回状に溶着してボディ２４とケーシング３２とを固定する際に、両者の接合位置が所望の位置となるように周方向に沿って両者をずらして合わせれば、送入口３６及び送出口３８の配置位置（配置方向）を周方向の何れの方向にも設定することができる。【選択図】　　　　図１
2004124840.tif 000002
【特許請求の範囲】
【請求項１】
磁性を有すると共にモータの駆動軸に固定され、前記モータの駆動により前記駆動軸と一体に回転するマグネットロータと、
前記マグネットロータと隔壁によって隔てられ、流体の送入口及び送出口が設けられた送流室と、
磁性を有すると共に前記送流室内に回転自在に設けられ、かつ、回転径方向において前記マグネットロータに前記隔壁を介して対向して位置し、前記マグネットロータの回転に伴い前記径方向引力によって回転されることで前記送流室内の流体に圧力を付与して流体を前記送入口から前記送出口へ送流させるマグネットインペラーと、
前記モータ及びマグネットロータを収容するボディと、
前記マグネットインペラーを収容すると共に前記送流室を形成し、前記ボディと一体的に接合固定されるケーシングと、
を備えたウォーターポンプにおいて、
前記ボディとケーシングとの接合固定部を、互いの接合位置が周方向に沿って連続的に変更可能に設け、かつ、前記接合固定部を前記両者の接合状態で周方向に沿って周回状に溶着して固定した、
ことを特徴とするウォーターポンプ。
【請求項２】
前記ボディとケーシングとの接合固定部は、前記ボディとケーシングの各々開口端に形成されたリング状のフランジ部とされ、かつ、前記何れか一方のフランジ部には周方向に沿って凸部が形成され、前記何れか他方のフランジ部には前記凸部に対応する凹部が周方向に沿って形成され、前記凸部と凹部が嵌合した状態で前記溶着固定される、
ことを特徴とする請求項１記載のウォーターポンプ。
【発明の詳細な説明】
【０００１】
【発明の属する技術分野】
本発明は、流体に圧力を付与して送流するウォーターポンプに関する。
【０００２】
【従来の技術】
流体に圧力を付与して送流するウォーターポンプが知られている（例えば、特許文献１）。
【０００３】
この種のウォーターポンプでは、モータを備えており、さらに、流体の送入口及び送出口が設けられた送流室には、流体に圧力を付与するためのインペラが配置されている。このインペラは、マグネットロータとマグネットインペラーから成る所謂「マグネットカップリング」を介してモータに接続（連結）されており、モータの駆動によって回転される構成である。
【０００４】
またここで、モータ及びマグネットロータは、ボディ内に封入状態で収容されており、一方、インペラやマグネットインペラーは、送流室を形成するケーシング内に収容されている。さらに、ボディとケーシングとは、一体的に接合固定されて内部が密閉された構成となっている。
【０００５】
ところで、従来のこのようなウォーターポンプでは、一体的に接合固定されるボディとケーシングとは、ネジやボルト等による所謂機械式の固定構造であったため、ケーシングに形成される流体の送入口及び送出口の配置位置（配置方向）が一義的に決まることになり、適用の範囲が狭い欠点があった。
【０００６】
すなわち、ケーシングに形成される流体の送入口や送出口の配置位置（配置方向）を要求に応じて幾つか異ならせて設定しようとすると、それぞれの場合にボディやケーシングが同一の形状で事足りる場合であっても前記送入口や送出口の配置位置（配置方向）は一義的に（１つに）決まるため、そのままでは要求される配置位置（配置方向）に設定することができなくなる場合が生じ、このため、それぞれの要求に応じて送入口や送出口の配置位置（配置方向）を変更したケーシングを製作（準備）しなければならず、コスト高の原因となっていた。換言すれば、従来のウォーターポンプでは、流体の送入口及び送出口の配置位置（配置方向）を自由に設定することができず、適用の範囲が制限されていた。
【０００７】
【特許文献１】
特開平９−１７７６９３号公報
【０００８】
【発明が解決しようとする課題】
本発明は上記事実を考慮し、流体の送入口及び送出口の配置位置（配置方向）を自由に設定することができて適用の範囲が拡大し、コストの低減を図ることも可能になるウォーターポンプを得ることが目的である。
【０００９】
【課題を解決するための手段】
請求項１に係る発明のウォーターポンプは、磁性を有すると共にモータの駆動軸に固定され、前記モータの駆動により前記駆動軸と一体に回転するマグネットロータと、前記マグネットロータと隔壁によって隔てられ、流体の送入口及び送出口が設けられた送流室と、磁性を有すると共に前記送流室内に回転自在に設けられ、かつ、回転径方向において前記マグネットロータに前記隔壁を介して対向して位置し、前記マグネットロータの回転に伴い前記径方向引力によって回転されることで前記送流室内の流体に圧力を付与して流体を前記送入口から前記送出口へ送流させるマグネットインペラーと、前記モータ及びマグネットロータを収容するボディと、前記マグネットインペラーを収容すると共に前記送流室を形成し、前記ボディと一体的に接合固定されるケーシングと、を備えたウォーターポンプにおいて、前記ボディとケーシングとの接合固定部を、互いの接合位置が周方向に沿って連続的に変更可能に設け、かつ、前記接合固定部を前記両者の接合状態で周方向に沿って周回状に溶着して固定した、ことを特徴としている。
【００１０】
請求項１記載のウォーターポンプでは、モータの駆動により駆動軸と一体にマグネットロータが回転すると、マグネットインペラーがマグネットロータの回転に伴って回転されることで、送流室内の流体に圧力が付与されて流体が送流室の送入口から送出口へ送流される。
【００１１】
ここで、このウォーターポンプでは、ボディとケーシングとの接合固定部が、互いの接合位置を周方向に沿って連続的に変更可能に設けられているため、ボディとケーシングとを互いに周方向に沿って変位することにより（両者の接合状態で接合固定部を周方向に沿って周回状に溶着して固定する際に、互いの接合位置が所望の位置となるように周方向に沿ってずらして合わせることにより）、ケーシングにより形成される流体の送入口及び送出口の配置位置（配置方向）を周方向の何れの方向にも設定することができる。
【００１２】
したがって、大幅に適用の範囲が拡大する。またこのため、要求される送入口や送出口の配置位置（配置方向）に応じてそれぞれ異なるケーシングを製作（準備）する必要がなくなり、換言すれば、単一種類のボディ及びケーシングで事足りるため、コストの低減を図ることもできる。
【００１３】
請求項２に係る発明のウォーターポンプは、請求項１記載のウォーターポンプにおいて、前記ボディとケーシングとの接合固定部は、前記ボディとケーシングの各々開口端に形成されたリング状のフランジ部とされ、かつ、前記何れか一方のフランジ部には周方向に沿って凸部が形成され、前記何れか他方のフランジ部には前記凸部に対応する凹部が周方向に沿って形成され、前記凸部と凹部が嵌合した状態で前記溶着固定される、ことを特徴としている。
【００１４】
請求項２記載のウォーターポンプでは、ボディとケーシングとの接合固定部はリング状のフランジ部とされており、当該フランジ部に形成された凸部と凹部とが嵌合した状態で溶着固定される。
【００１５】
したがって、ボディのフランジ部（凸部または凹部）とケーシングのフランジ部（凹部または凸部）とを単に軸方向両側から嵌合させることで溶着固定が可能になる。このため、組付け作業性も向上する。
【００１６】
【発明の実施の形態】
図１には、本発明の実施の形態に係るウォーターポンプ１０が断面図にて示されている。
【００１７】
ウォーターポンプ１０は、モータ１２を備えている。モータ１２からは駆動軸１４が突出しており、駆動軸１４は、下記ボディ２４に固定されたボールベアリング１６に回転自在に支持されている。
【００１８】
モータ１２の駆動軸１４突出側には、磁性を有するマグネットロータ１８が設けられている。マグネットロータ１８は円筒状の円筒部２０と円盤状の円盤部２２とを有しており、円筒部２０のモータ１２側を円盤部２２が閉塞している。円盤部２２の中央にはモータ１２の駆動軸１４が固定されており、モータ１２が駆動されて駆動軸１４が回転されることで、マグネットロータ１８が駆動軸１４と一体に回転する。
【００１９】
モータ１２及びマグネットロータ１８はボディ２４に封入されており、ボディ２４によってモータ１２への流体としての水の侵入が防止されている。ボディ２４のマグネットロータ１８封入側側壁は隔壁２６とされており、隔壁２６はマグネットロータ１８の内面に沿って凹んでいる。隔壁２６の中央には円筒状の支持筒２８が一体に立設されており、支持筒２８内には、円柱状の支持柱３０が下記ケーシング３２内へ突出した状態で固定されている。ボディ２４の隔壁２６は略円錐台筒状のケーシング３２に被覆されており、隔壁２６とケーシング３２との間には送流室３４が形成されている。ケーシング３２の反隔壁２６側の頂面には水の送入口３６が形成されると共に、ケーシング３２の側面には水の送出口３８が形成されている。
【００２０】
送流室３４内には、マグネットインペラー４０が設けられており、マグネットインペラー４０は羽根車とされたインペラー部４２を有している。インペラー部４２はケーシング３２内に収容されており、マグネットインペラー４０はインペラー部４２において支持柱３０に回転自在に支持されている。またしかも、この支持柱３０の先端部は、送入口３６から送流室３４内への水の送入路にケーシング３２と一体に形成された軸受け部３３によって支持された構成となっている。
【００２１】
マグネットインペラー４０は磁性を有するマグネット部４４を有しており、マグネット部４４は円筒状とされて隔壁２６の内側に収容されている。このため、マグネット部４４は回転径方向においてマグネットロータ１８の円筒部２０に隔壁２６を介して対向して、マグネットインペラー４０とマグネットロータ１８との間に所謂マグネットカップリングが成されており、マグネット部４４には、回転径方向に沿う円筒部２０との間の磁気的な径方向引力が作用している。これにより、この径方向引力によってマグネットロータ１８の回転に伴いマグネットインペラー４０が回転される構成となっている。
【００２２】
マグネットインペラー４０は、インペラー部４２の回転軸方向においてケーシング３２の送入口３６に対向すると共に、インペラー部４２の回転径方向においてケーシング３２の送出口３８に対向している。これにより、マグネットインペラー４０が回転されることで、インペラー部４２によって送流室３４内の水に圧力が付与されて水が送入口３６から送出口３８へ送流される構成である。
【００２３】
またここで、モータ１２及びマグネットロータ１８を収容するボディ２４と、マグネットインペラー４０を収容すると共に送流室３４（送入口３６及び送出口３８）を形成するケーシング３２とは、接合固定部５０によって一体的に固定されている。
【００２４】
すなわち、ボディ２４の開口端にはリング状のフランジ部５２が全周に亘って形成されており、さらに、このフランジ部５２には凹部５４が周方向に沿って形成されている。また一方、ケーシング３２の開口端には同様にリング状のフランジ部５６が全周に亘って形成されており、さらに、このフランジ部５６にはフランジ部５２の凹部５４に対応する凸部５８が周方向に沿って形成されている。これらの凹部５４と凸部５８が嵌合した状態でボディ２４のフランジ部５２とケーシング３２のフランジ部５６とが接合され、この状態で当該部位が周方向に沿って周回状に溶着されて固定された構成となっている。しかもこの場合、互いに嵌合し合うフランジ部５２の凹部５４とフランジ部５６の凸部５８とは、嵌合し合った状態のままで（溶着固定する直前の状態では）周方向に沿って相対的に自在に移動（変位）できるように各部の寸法等が設定されている。
【００２５】
したがって、ボディ２４とケーシング３２との接合固定部５０は、フランジ部５２の周方向に沿って形成された凹部５４と同様にフランジ部５６の周方向に沿って形成された凸部５８とが嵌り込んで接合される構成であるが、溶着固定する直前の状態では互いの接合位置が周方向に沿って連続的に変更可能となっているため、接合固定部５０を周方向に沿って周回状に溶着してボディ２４とケーシング３２とを固定する際に、ボディ２４とケーシング３２の互いの接合位置が所望の位置となるように、周方向に沿って両者をずらして合わせることができる構成である。
【００２６】
次に、本実施の形態の作用を説明する。
【００２７】
以上の構成のウォーターポンプ１０では、モータ１２の駆動軸１４にマグネットロータ１８が固定されると共に、送流室３４内にマグネットインペラー４０が回転自在に設けられており、マグネットロータ１８の円筒部２０にマグネットインペラー４０のマグネット部４４が回転径方向において隔壁２６を介して対向することで、マグネット部４４に回転径方向に沿う円筒部２０との間の磁気的な径方向引力が作用している。このため、モータ１２の駆動により駆動軸１４と一体にマグネットロータ１８が回転すると、マグネットインペラー４０がマグネットロータ１８の回転に伴い前記径方向引力によって回転されることで、マグネットインペラー４０のインペラー部４２によって送流室３４内の水に圧力が付与されて水が送流室３４の送入口３６から送出口３８へ送流される。
【００２８】
ここで、このウォーターポンプ１０では、送入口３６や送出口３８の配置位置（配置方向）を、それぞれ要求される向きに任意に設定することができる。
【００２９】
すなわち、ボディ２４とケーシング３２との接合固定部５０は、フランジ部５２の周方向に沿って形成された凹部５４と同様にフランジ部５６の周方向に沿って形成された凸部５８とが嵌り込んで接合される構成であり、互いの接合位置が周方向に沿って連続的に変更可能となっているため、接合固定部５０を周方向に沿って周回状に溶着してボディ２４とケーシング３２とを固定する際に、ボディ２４とケーシング３２の互いの接合位置が所望の位置となるように、周方向に沿って両者をずらして合わせれば、ケーシング３２により形成される送入口３６及び送出口３８の配置位置（配置方向）を周方向の何れの方向にも設定することができる。
【００３０】
したがって、このウォーターポンプ１０の適用の範囲が大幅に拡大する。またこのため、要求される送入口３６や送出口３８の配置位置（配置方向）に応じてそれぞれ異なるケーシング３２を製作（準備）する必要がなくなり、換言すれば、単一種類のボディ２４及びケーシング３２で事足りるため、コストの低減を図ることもできる。
【００３１】
またしかも、ボディ２４とケーシング３２との接合固定部５０はリング状のフランジ部５２及びフランジ部５６とされており、当該フランジ部５２に形成された凹部５４とフランジ部５６に形成された凸部５８とが嵌合した状態で溶着固定されるため、ボディ２４のフランジ部５２（凹部５４）とケーシング３２のフランジ部５６（凸部５８）とを単に軸方向両側から嵌合させることで溶着固定が可能になる。このため、組付け作業性も向上する。
【００３２】
例えば、支持柱３０によってマグネットインペラー４０（インペラー部４２）を支持した状態でこの支持柱３０の先端部をケーシング３２の軸受け部３３に嵌め込む際に、ケーシング３２をボディ２４に対して軸方向から組み付け、ボディ２４のフランジ部５２（凹部５４）とケーシング３２のフランジ部５６（凸部５８）とを嵌合させることで溶着固定が可能になり、しかもこの状態では、ケーシング３２とボディ２４とは径方向にはズレることがないため、支持柱３０を確実に保持しながら作業を実施することができる。
【図面の簡単な説明】
【図１】本発明の実施の形態に係るウォーターポンプを示す断面図である。
【符号の説明】
１０・・ウォーターポンプ、１２・・モータ、１４・・駆動軸、１８・・マグネットロータ、２４・・ボディ、２６・・隔壁、３２・・ケーシング、３４・・送流室、３６・・送入口、３８・・送出口、４０・・マグネットインペラー、５０・・接合固定部、５２・・フランジ部、５４・・凹部、５６・・フランジ部、５８・・凸部
【図１】
2004124840.tif 000003